(57)【要約】【課題】電子装置に関し、外観的にユニークな特徴を備えた電子装置を提供することを目的とする。【解決手段】ケース（１２）と、該ケースに取りつけられた表示素子と、該表示素子を覆うように該ケースに取りつけられたパネル（２２）とを備え、該パネルは、透明板（３２）と、該透明板の上面にもうけられたハーフミラー膜（３４）と、該透明板の下面に設けられた遮光膜（３６）を有する。【選択図】図６
2007264642.tif 000002
【特許請求の範囲】
【請求項１】
ケースと、
該ケースに取りつけられた表示素子と、
該表示素子を覆うように該ケースに取りつけられ、所定の波長を有する光のみを通すパネルと、
を有することを特徴とする電子装置。
【請求項２】
該パネルは、単一色であることを特徴とする請求項１に記載の電子装置。
【請求項３】
該パネルは、蒸着膜より形成されたことを特徴とする請求項１または２に記載の電子装置。
【請求項４】
ケースと、
該ケースに取りつけられた表示素子と、
該表示素子を覆うように該ケースに取りつけられ、透明板と、該透明板の上面にもうけられたハーフミラー膜と、該透明板の下面に設けられた遮光膜を有するパネルと、
を有することを特徴とする電子装置。
【請求項５】
該ケースの外側から該ハーフミラー膜に入射した特定の波長の光は、該ハーフミラー膜で反射し、
該ハーフミラー膜に入射した他の波長の光は該ハーフミラー膜を透過し、該遮光膜で吸収されることを特徴とする請求項４に記載の電子装置。
【請求項６】
該ハーフミラー膜の反射光の波長と、該表示素子の出射光の波長とをずらすことを特徴とする請求項４または５に記載の電子装置。
【請求項７】
前記表示装置は、エレクトロルミネンスであることを特徴とする請求項１乃至６のいずれか１項記載の電子装置。
【請求項８】
ケースと、
該ケースに取りつけられた表示素子と、
該表示素子を覆うように該ケースに取りつけられ、所定の波長を有する光のみを通すパネルと、
を有することを特徴とする携帯電話装置。
【請求項９】
該パネルは単一色であることを特徴とする請求項８に記載の携帯電話装置。
【請求項１０】
該表示素子は、エレクトロルミネンスであることを特徴とする請求項８または９に記載の携帯電話装置。
【発明の詳細な説明】
【技術分野】
【０００１】
本発明は表示部を有する電子装置及び携帯電話装置に関する。
【背景技術】
【０００２】
電子装置、例えば携帯電話機はプッシュボタン等とともに表示部を有する。第１及び第２の表示部を有する携帯電話機がある。例えば、液晶表示装置等からなる第１の表示部は携帯電話機のケースの一方の側に設けられ、有機ＥＬ（有機エレクトロルミネセンス）又はＬＥＤ又は液晶表示器等からなる第２の表示部はケースの他方の側に設けられる。折り畳み式の携帯電話機の場合には、第１の表示部はケースの内面側にあり、第２の表示部はケースの外面側つまり、スイッチキーが形成された面と反対の面側にある。この場合、第２の表示部は携帯電話機を折り畳んだ状態で見ることができる。
【０００３】
有機ＥＬを使用した従来技術として、例えば、特表２００１−５１９５８５号公報は、携帯電話機のケースにＥＬを設ける例を開示している。また、特開平５−３１２９７０号公報はハーフミラー及び有機ＥＬを使用した発光時計を開示している。ＥＬはエレクトロルミネセンスのことである。
【特許文献１】特表２００１−５１９５８５号公報
【特許文献２】特開平５−３１２９７０号公報
【発明の開示】
【発明が解決しようとする課題】
【０００４】
携帯電話機はユーザーが持ち歩くため、外観性能が重要であり、外観に面白みがあり、愛着がでるようにすることが重要である。そこで、携帯電話機のケースの外面側に設けられる表示部は、デザイン的に目立ち、またはユーザーにアピールする特徴を備えていることが望ましい。
【０００５】
本発明の目的は外観的にユニークな特徴を備えた電子装置を提供することである。
【課題を解決するための手段】
【０００６】
本発明による電子装置は、ケースと、該ケースに取りつけられた表示素子と、該表示素子を覆うように該ケースに取りつけられ、所定の波長を有する光のみを通すパネルと、を有することを特徴とする。該パネルは、単一色であることを特徴とする。また、該パネルは、蒸着膜より形成されたことを特徴とする。
また、本発明による電子装置は、ケースと、該ケースに取りつけられた表示素子と、該表示素子を覆うように該ケースに取りつけられ、透明板と、該透明板の上面にもうけられたハーフミラー膜と、該透明板の下面に設けられた遮光膜を有するパネルと、を有することを特徴とする。該ケースの外側から該ハーフミラー膜に入射した特定の波長の光は、該ハーフミラー膜で反射し、該ハーフミラー膜に入射した他の波長の光は該ハーフミラー膜を透過し、該遮光膜で吸収されることを特徴とする。該ハーフミラー膜の反射光の波長と、該表示素子の出射光の波長とをずらすことを特徴とする。
本発明の前記電子装置において、前記表示装置は、エレクトロルミネンスであることを特徴とする。
【０００７】
また、本発明の携帯電話装置は、ケースと、該ケースに取りつけられた表示素子と、該表示素子を覆うように該ケースに取りつけられ、所定の波長を有する光のみを通すパネルと、を有することを特徴とする。該パネルは単一色であることを特徴とする。本発明の携帯電話装置において、該表示素子は、エレクトロルミネンスであることを特徴とする。
【発明の効果】
【０００８】
以上説明したように、本発明によれば、外観的にユニークな特徴を備えた電子装置を得ることができる。特に本発明を折り畳み型携帯電話機のスイッチキーが形成された面と反対の面に形成される表示素子に適用すると、折り畳んだ状態でも必要な時必要な情報を表示することができる。
【発明を実施するための最良の形態】
【０００９】
以下本発明の実施例について図面を参照して説明する。図１は本発明の実施例の折り畳み式の携帯電話機を示す斜視図である。図２は図１の携帯電話機が開いた状態を示す斜視図である。図３は図１及び図２の携帯電話機の第１ケース及びパネルを示す斜視図である。
【００１０】
図１から図３に示される電子装置の例としての携帯電話機１０は、互いに枢着された第１及び第２ケース１２，１４からなる折り畳み式の携帯電話機である。第１ケース１２は、内面側に第１の表示部１６を有し、外面側に第２の表示部１８を有する。第２ケース１４はプッシュボタン２０及びその他の操作手段を有する。実施例においては、第１の表示部１６は液晶表示装置を含み、第２の表示部１８は有機ＥＬ（有機エレクトロルミネセンス）を含む。
【００１１】
図１及び図３に示されるように、第１ケース１２はパネル２２を含む。第２の表示部１８はＥＬ（ＥＬモジュール）２４を含み、ＥＬ２４は第１ケース１２に取りつけられ、パネル２２はＥＬ２４を覆うように第１ケース１２の外面側に取りつけられている。パネル２２の表面はほぼ連続して一様な色に見え、第２の表示部１８は常時見えていないので図１においては破線で示されている。第２の表示部１８は表示領域１８ａを備えるが、表示領域１８ａを区画する境界線は通常は見えていない。
【００１２】
図４は図１から図３の第１ケース１２を簡略化して示す平面図である。図４はＥＬ２４に通電していない状態を示す。図５はＥＬ２４に通電したときの図４の第１ケース１２を簡略化して示す平面図である。
【００１３】
図６は図４の線VI−VIを通る断面図である。第１ケース１２はプリント回路板２６を含み、ＥＬ２４はプリント回路板２６に接続されている。ＬＥＤ２８がＥＬ２４とは離れた位置で第１ケース１２に配置され、プリント回路板２６に接続されている。赤外線通信装置３０がＥＬ２４に対してＬＥＤ２８の反対側の位置で第１ケース１２に配置され、プリント回路板２６に接続されている。
【００１４】
図７はパネル２２を示す断面図である。図６及び図７において、パネル２２は、透明板３２と、透明板３２の上面に設けられたハーフミラー膜３４と、透明板３２の下面に設けられた遮光膜３６とからなる。透明板３２はプラスチックの射出成形により形成され、平坦な表面又は湾曲した表面を有する。遮光膜３６はＥＬ２４の上方に開口３６ａを有する。表示領域１８ａはＥＬ２４によって規定されるものであり、遮光膜３６の開口３６ａの大きさはＥＬ２４の大きさと同じか又はそれよりも少し小さい。ＥＬ２４の表面２４ａは黒色処理が施されている（例えば、偏光板を配置する）。
【００１５】
遮光膜３６はさらにＬＥＤ２８の上方にも開口３６ｂを有する。拡散膜３８が開口３６ｂにおいて遮光膜３６に設けられる。さらに、遮光膜４０がＬＥＤ２８を覆う位置でハーフミラー膜３４に設けられる。遮光膜４０は、所定の形状の光透過部４０ａを有する。光透過部４０ａは遮光膜４０を印刷するときの抜き開口部またはそのような開口部に設けた透過印刷部である。図４及び図５に示される例においては、光透過部４０ａはプラス形状のマークに形成されている。
【００１６】
ハーフミラー膜３４は蒸着膜（例えば誘電体の多層膜）からなる。ハーフミラー膜３４に入射する光のうち、所定の波長成分はハーフミラー膜３４で反射し、他の波長成分はハーフミラー膜３４を透過する。遮光膜４０は黒色のシルク印刷とする。遮光膜４０は可視光を遮断できるものであれば何でもよいが、赤外線を透過させるものが好ましい。そうすれば、赤外線通信装置３０のために赤外線フィルタを別に設ける必要がない。すなわち、遮光膜４０が赤外線通信装置３０を覆うようにしておくと、赤外線通信装置３０から発射され、又は赤外線通信装置３０に入射する赤外線Ｉは遮光膜４０を通過することができるが、可視光が遮光膜４０で遮断され、可視光が赤外線通信装置３０に入射することがない。
【００１７】
第１ケース１２の外側からハーフミラー膜３４に入射した特定の波長の光は図６に矢印Ａで示されるようにハーフミラー膜３４で反射する。ハーフミラー膜３４に入射した他の波長の光はハーフミラー膜３４を透過するが、遮光膜３６で吸収される。ハーフミラー膜３４を透過し、遮光膜３６の開口３６ａを通った光は、ＥＬ２４の表面２４ａの黒色により吸収される。
【００１８】
従って、ハーフミラー膜３４を透過したほとんど全ての光は全面的に吸収され、透過光による物品の形状は見えない。よって、第１ケース１２のパネル２２の外面を見ている人はハーフミラー膜３４の反射光を見ることになる。つまり、ＥＬ２４に通電しないときには、携帯電話機1０の外面側に位置するパネル２２の表面は、ほぼ連続して一様な色に見える。この状態が図４に示されている。
【００１９】
ＥＬ２４に通電したときには、ＥＬ２４の発生する光は十分に強いのでＥＬ２４の表面２４ａの黒色を透過し、遮光膜３６の開口３６ａを通ってパネル２２の外部へ出射する。すなわち、ＥＬ２４に通電したときには、ＥＬ２４が生成する表示４２がパネル２２を通して見える。この状態が図５に示されている。図５においては、表示４２は人の顔のパターンを表しているが、表示４２はそのような例に限定されない。例えば、表示４２は文字や数字やその他のマークであってもよい。また、表示４２は携帯電話機１０の呼び出しの表示であったり、時間表示であったりすることができる。
【００２０】
このように、図４及び図５に示されるように、ＥＬ２４（表示素子）を使用していないときには、携帯電話機の表面に位置するパネル２２の表面は、ほぼ連続して一様な色に見え、まるで第２の表示部１８がないように見える。一方、ＥＬ２４（表示素子）を使用するときには、何もなかったパネル２２の表面に突然表示４２が現れるように感じられる。従って、パネル２２の表面に表示４２が現れると、ユーザーは突然に浮かび上がった表示４２に意外性及びより深い印象を感じる。第２の表示部１８は、何もないところに突然表示４２が現れるという点でデザイン的に目立ち、またはユーザーにアピールする特徴を備えている。また、表示部１８の表示領域１８ａを区画する境界線が見えず（つまり、第２の表示部１８の表示枠が見えず)、表示４２のみが見えるので、上記効果はより際立ったものとなる。
【００２１】
ハーフミラー膜３４の反射光の波長特性は蒸着膜の形成方法により任意に選択することができる。表示４２がより際立って見えるためには、ハーフミラー膜３４の反射光の波長と、ＥＬ２４の出射光の波長とをずらすことが好ましい。下記の表１は、ハーフミラー膜３４の反射光の色及び波長と、ＥＬ２４の出射光の色及び波長との関係示したものである。視認性は、丸、三角、バツで示した。ＥＬ２４の透過光が７０％以上である場合を丸で示した。丸で示された視認性があれば、良好な表示４２を得ることができる。三角で示された視認性では、表示４２を得ることができるが、表示４２の色が意図したものと変わることがある。
【００２２】
【表１】
2007264642.tif 000003
【００２３】
ハーフミラー膜３４の反射率はハーフミラー膜３４への入射角が４５゜付近で最大になる。このため、携帯電話機１０を正面から見る場合よりも、携帯電話機１０を横の方から見る場合の方が反射率は高い。そのため、ユーザー以外の人が携帯電話機１０を覗き見る場合に、強い反射光を見ることになり、その分だけ表示４２が見にくくなる。従って、ユーザー以外の人に情報を知られにくい。
【００２４】
さらに、ＬＥＤ２８に通電したときには、ＬＥＤ２８が発生した光は遮光膜３６の開口３６ｂに設けた拡散膜３８を通り、さらに遮光膜４０の光透過部４０ａを通って、パネル２２の外側へ出射する。遮光膜４０の光透過部４０ａがプラス形状のマークに形成されている場合には、プラス形状のマークが光で照射され、ユーザーはそのようなマークを見ることになる。
【００２５】
拡散膜３８を通る光は、上記したようにパネル２２に対して垂直な方向に進んで遮光膜４０の光透過部４０ａを照射するばかりでなく、パネル２２に対して斜め方向に進んで遮光膜４０に衝突するものもある。遮光膜４０に衝突した光は、遮光膜４０で反射し、さらに遮光膜３６で反射して、遮光膜４０の周りに回り込み、遮光膜４０の周りの領域を照明する。このようにして照明された遮光膜４０の周りの領域４４が図５に示されている。
【００２６】
このように、遮光膜４０の光透過部４０ａに相当するプラス形状のマークが照明されるとともに、遮光膜４０の周りの領域４４が照明され、イルミネーション効果が向上する。遮光膜４０の周りの領域４４の照明は携帯電話機１０が暗いところで使用される場合に特に効果がある。
【００２７】
ハーフミラー膜３４の反射光の波長と、ＬＥＤ２８の発生する光の波長とをずらすことが好ましい。下記の表表２は、ハーフミラー膜３４の反射光の色及び中心波長と、ＬＥＤ２８の出射光の色及び中心波長と、の関係示したものである。表１と同様に、視認性は、丸、三角、バツで示した。この場合、ＬＥＤ２８の発生する光の波長をハーフミラー膜３４の反射光の波長との関係から、プラス形状のマークの色と、遮光膜４０の周りの領域４４の照明の色とを、意図的に変えることもできる。
【００２８】
【表２】
2007264642.tif 000004
【００２９】
図８は図７のパネル２２の変形例を示す断面図である。図８のパネル２２の基本的な構成は図７のパネル２２の基本的な構成と類似しているが、図８においては、ハーフミラー膜３４が透明板３２の下面に設けられ、遮光膜３６はハーフミラー膜３４のさらに下側に形成されている。この場合の作用は、上記説明したものと同様である。
【００３０】
図９は図７のパネル２２の変形例を示す断面図である。図９のパネル２２の基本的な構成は図７のパネル２２の基本的な構成と類似しているが、図９においては、ハーフミラー膜３４が遮光膜４０の光透過部４０ａに相当する開口３４ａを有する。この場合の作用は、上記説明したものと同様である。
【図面の簡単な説明】
【００３１】
【図１】本発明の実施例の携帯電話機を示す斜視図である。
【図２】図１の携帯電話機が開いた状態を示す斜視図である。
【図３】図１及び図２の携帯電話機の第１ケース及びパネルを示す斜視図である。
【図４】図１から図３の第１ケースを簡略化して示す平面図である。
【図５】ＥＬに通電したときの図４の第１ケースを簡略化して示す平面図である。
【図６】図４の線VI−VIを通る断面図である。
【図７】パネルを示す断面を示す図である。
【図８】図７のパネルの変形例を示す断面図である。
【図９】図７のパネルの変形例を示す断面図である。
【符号の説明】
【００３２】
１０    携帯電話機
１２，１４    ケース
１６，１８    表示部
２２    パネル
２４    ＥＬ
２８    ＬＥＤ
３２    透明板
３４    ハーフミラー膜
３６    遮光膜
３８    拡散膜
４０    遮光膜
４２    表示
【図１】
2007264642.tif 000005
【図２】
2007264642.tif 000006
【図３】
2007264642.tif 000007
【図４】
2007264642.tif 000008
【図５】
2007264642.tif 000009
【図６】
2007264642.tif 000010
【図７】
2007264642.tif 000011
【図８】
2007264642.tif 000012
【図９】
2007264642.tif 000013